(57)【要約】【課題】データを読み取るために使用されるレーザ光源の向上した寿命を有する、光学記録キャリアに記録されたデータを再生するための再生装置を提供すること。【解決手段】再生装置は、レーザ光源の光出力を駆動して、該データの読み取り動作が中断された場合に、光ディスクに記録されたデータが再生されるために読み取られている、読み取りモードから、レーザ寿命延長モードに変更するように適合される、レーザドライバユニットを含む。レーザ寿命延長モードでは、レーザ光源は、パルス光出力を放射するように駆動され、したがって、レーザ光源が必要とされることなくオンである時間量が削減され、レーザ光源の寿命が向上される。【選択図】図１
2014081994.tif 000002
【特許請求の範囲】
【請求項１】
本明細書に記載の装置。
【発明の詳細な説明】
【技術分野】
【０００１】
（発明の分野）
本発明は、光学記録キャリアに記録されたデータを再生するためのものであり、また記録されたデータを再生するためのレーザ光源を有する、再生装置に関し、より具体的には、向上された寿命のレーザ光源を有する再生装置に関する。
【背景技術】
【０００２】
（発明の背景）
ＣＤ（コンパクトディスク）プレーヤおよびＤＶＤ（デジタル多用途ディスク）プレーヤ等の光ディスクのための光ドライブおよび再生装置は、家庭電化製品、携帯デバイス、および自動車の標準装備として、ここ数年での大幅な広がりが知られている。したがって、低消費電力で、その構成要素の耐久性が高い、費用効率が高いデバイスの開発に多大な努力が払われている。
【０００３】
光ディスクに記録されたデータを読み取るために使用されるレーザダイオードは、コストおよび動作寿命に関して、光ドライブの最も重要な構成要素のうちの１つである。具体的には、レーザダイオードの寿命は、周囲温度の上昇および／またはレーザ駆動電流の増加によって減少することが知られている。したがって、レーザダイオードの効率的な動作は、その寿命を向上させるための極めて重要な課題である。
【０００４】
例えば、光磁気または光ディスクのための現在の光ドライブは、ホストシステムによって必要とされるレートよりも速いレートで、再生するデータを読み取ることができる。したがって、いわゆるトラックバッファが使用され、入力データがバッファに書き込まれる速度よりも遅い公称速度で、そこから、入力音声／映像データが読み取られる。
【０００５】
特許文献１は、バッファを使用し、また、バッファのオーバーフローを回避するために入力データストリームを時々中断する、再生装置を説明している。しかしながら、データが光ディスクから読み取られていない場合も、バッファに供給されていない場合も、レーザダイオードはオンのままである。
【０００６】
特許文献２は、光ディスクからのデータの読み取りが中断されるレーザオフ時間という時間間隔中に、レーザダイオードをオフにすることによって、レーザダイオードの総動作時間を低減できるようにする方法を説明している。
【０００７】
電力消費および周囲温度を低減するため、レーザオフ時間中にはフォーカスおよびトラッキングサーボ制御ループもオフにされる。次いで、読み取り動作を再開する前に、光ディスク上の異なる接線位置での異なるフォーカスオフセットに起因する、完全なフォーカスサーチを実行する必要性を回避するように、サーボ制御は、該制御がオフにされた接線位置の近くでオンにされる。それでも、レーザダイオードは、データの読み取りが再開されてシステムを回復および再同期できるようにする前に、ある時間だけオンにする必要がある。システム回復および再同期時間は、光ディスクの回転に関連する待ち時間、およびレーザを再フォーカシングして、記録キャリアからの読み取り動作が中断されたトラックにジャンプするための時間等の、複数の因子に依存する。
【０００８】
例えば、映像再生パラメータとして、０．１４秒のシステム回復および再同期時間、４Ｍｂのバッファサイズ、８Ｍｂ／ｓの出力データレート、および２２Ｍｂ／ｓの入力データレートを使用すると、全再生時間と、システム回復および再同期時間を加えたバッファフィル時間との差は、０．１８秒のレーザオフ時間となる。このレーザオフ時間の推定は、全再生時間の約３６％であるが、それでも、レーザダイオードがオンであるが読み取りを行っていない、システム回復および再同期時間と同程度である。
【０００９】
したがって、読み取り動作の間でレーザダイオードを効果的にオフにできる時間量は、最適でない。
【００１０】
加えて、フォーカスおよびトラッキングサーボループの完全な遮断は、振動または衝撃等の機械的外乱に露出される、自動車または携帯デバイスに実装される光ドライブの場合に有利になり得る。このような外乱が生じる場合、フォーカスおよびトラッキングサーボがオフにされた場合、オフにされた場合の位置からの再生ヘッドの逸脱は、即座に補正されない。この場合、完全なフォーカスおよびトラックサーチシーケンスが必要になり得、したがって、データの読み取りが行われずにレーザダイオードをオンにする時間量が増大する。
【先行技術文献】
【特許文献】
【００１１】
【特許文献１】欧州特許出願公開第４６５０５３号明細書
【特許文献２】欧州特許出願公開第１６１９６７５号明細書
【発明の概要】
【発明が解決しようとする課題】
【００１２】
（発明の概要）
本発明は、従来技術の不利な点および短所を克服することを目指し、その目的は、光学記録キャリアに記録されたデータを読み取るために採用されるレーザ光源を効果的に使用し、それによって、向上した寿命を伴うレーザ光源を有する、再生装置を提供することである。
【課題を解決するための手段】
【００１３】
この目的は、独立請求項の主題によって解決される。本発明の有利な実施形態は、従属請求項によって規定される。
【００１４】
本発明は、光学記録キャリアに記録されたデータを再生するための再生装置を提供し、該装置は、光学記録キャリアに記録されたデータを読み取るためのレーザ光源を備える、光ヘッドと、レーザ光源の光出力を変調するためのレーザドライバユニットであって、該光出力を駆動して、該データの読み取り動作が中断された場合に、読み取りモードからレーザ寿命延長モードに変更するように適合される、レーザドライバユニットとを備え、該レーザ寿命延長モードは、パルス光出力モードである。
【００１５】
光学記録キャリアに記録されたコンテンツのデータを読み取るために、光ヘッドが動作していない時間中に、レーザビームをパルス化させる、またはオン／オフさせることによって、本発明は、レーザダイオードが、使用されていないレーザ光を放射する総時間を最小化すること、ならびに電力消費および周囲温度を低減することを可能にする。結果的に、レーザダイオードの寿命が延び、また、レーザダイオードを交換することなく、再生デバイスの総作業時間が増加する。
【００１６】
本発明のさらなる展開によれば、レーザドライバユニットは、レーザ光源の光出力を駆動して、該データの読み取り動作が再開された場合に、レーザ寿命延長モードから読み取りモードに変更するように適合される。
【００１７】
光学記録キャリアからのデータの読み取り動作の中断状態が再開される場合に、レーザ寿命延長モードが終了する。したがって、レーザ光源によって放射されるレーザ光は、レーザ光がパルスの形態で放射されるパルス光出力から、レーザ光源が、データの読み取りに必要な光電力に対応する実質的に一定の平均放射電力を有する連続的なレーザビームを放射する、一定の光出力モードに変更するように駆動される。コンテンツを再生しながら、光ディスクに記録されたコンテンツのデータの読み取り動作を、複数回、中断および再開する必要がある場合、レーザ光源は、それに応じて、パルス光出力モードと一定光出力モードとを切り替えるように駆動される。
【００１８】
別の有利な実施形態では、該レーザドライバユニットは、レーザ光源に実質的に所定のタイミングで高光出力レベルと低光出力レベルとを切り替えさせるために、該レーザ寿命延長モード中に、所定のタイミングでレーザ駆動信号を出力するように適合される。
【００１９】
結果的に、レーザ光源が、２つの光出力レベルを切り替えるように駆動されるタイミングは、ホストシステムの特徴に基づいて前もって設定することができ、よって、レーザ寿命延長モード中のレーザ光源の負荷サイクルが最小化される。
【００２０】
本発明のさらなる有利な実施形態によれば、再生装置は、レーザドライバユニットによって出力される、レーザ駆動信号のタイミングを制御するためのレーザドライバ制御信号出力を生成するように適合される、サンプリングコントローラを備え、サンプリングコントローラは、該レーザ寿命延長モード中に、所定のタイミングでパルスレーザドライバ制御信号出力を生成するように適合され、レーザドライバユニットは、該パルスドライバ制御信号に応じて、所定のタイミングでレーザ駆動信号を出力するように適合される。
【００２１】
このように、外部制御信号に応じて、所望のタイミングで迅速にパルスする、またはオン／オフすることができる出力チャネルを有する、あらゆるレーザ駆動ユニットを使用して、本発明を実施することが可能である。実質的に所望のタイミングでレーザ光のパルスを放射するようにレーザ光源を駆動するために、レーザドライバユニットの出力は、供給されるタイミング制御信号のタイミングに対して高応答性でなければならない。
【００２２】
本発明の有利な展開によれば、サンプリングコントローラは、読み取りモード中に、連続的なレーザドライバ制御信号出力を生成するように、および、該データの読み取り動作が中断された場合に、連続的なレーザドライバ制御信号出力をパルスレーザドライバ制御信号出力に変更するように適合される。これは、そのタイミングがサンプリングコントローラによって変更される、同じ制御信号を使用することによって、２つの光出力モード間を遷移できるようにする。
【００２３】
本発明の別の有利な実施形態では、再生装置は、レーザ光源の光出力を示すレーザ監視信号を受信して、レーザ監視信号をサンプリングおよびホールドし、次いで、レーザ監視信号を出力するように適合される、フィードバックサンプリングおよびホールド回路と、入力レーザ監視信号および基準値に基づいてレーザ駆動信号を調整するよう、および、入力レーザ監視信号を基準値に収束させるよう、レーザドライバユニットを制御するためのフィードバック信号を生成して出力するように適合される、フィードバック制御回路と、を備え、該フィードバック制御回路は、フィードバックサンプリングおよびホールド回路からレーザ監視信号を受信するように適合され、サンプリングコントローラは、フィードバックサンプリングおよびホールド回路を制御して、レーザ光源が高光出力レベルである場合に、受信したレーザ監視信号をサンプリングするよう、および、少なくとも後続の低光出力レベルの持続時間中に、サンプリングされたレーザ監視信号をホールドするよう、レーザ寿命延長モード中に、第１の所定のタイミングでフィードバックサンプリングおよびホールド信号を生成して出力するように適合される。
【００２４】
フィードバック制御回路は、レーザ光源によって放射されるレーザビームの光電力を所望のレベルに調整する役割を果たす。フィードバック制御回路に先行する段にサンプリングおよびホールド回路を実装することによって、および、サンプリングおよびホールド回路をレーザ寿命延長モード中に放射されるレーザ光のパルスと同期させることによって、本発明は、入力信号を、常に同じ光出力レベルに対応するフィードバック制御回路に提供することを可能にする。したがって、光電力のフィードバック制御は、パルス光出力モード中もアクティブのままにすることができ、また、類似した光電力を示す信号に基づいて、連続する類似した光出力レベルの間に放出されるレーザ光の光出力を効果的に調整することができる。
【００２５】
本発明のさらなる有利な実施形態によれば、再生装置は、該レーザ寿命延長モード中に、光学記録キャリアから反射されるレーザビームを示す信号に基づいて、光学記録キャリアに入射するレーザビームのフォーカス制御を行うように適合される、フォーカスサーボシステムと、光学記録キャリアから反射されるレーザビームを示す該信号を受信して、受信した信号をサンプリングおよびホールドし、次いで、信号をフォーカスサーボシステムに出力するように適合される、フォーカスサーボサンプリングおよびホールド回路と、を備え、サンプリングコントローラは、フォーカスサーボサンプリングおよびホールド回路を制御して、レーザ光源が高光出力レベルである場合に、受信した信号をサンプリングするよう、および、少なくとも後続の低光出力レベルの持続時間中に、信号をホールドするよう、レーザ寿命延長モード中に、第２の所定のタイミングでフォーカスサンプリングおよびホールド信号を生成して出力するように適合される。
【００２６】
本発明のさらなる展開では、再生装置は、光学記録キャリアから反射されるレーザビームを示す信号に基づいて、光学記録キャリアの記録トラックに入射するレーザビームのトラッキング制御を行うように適合される、トラッキングサーボシステムを備え、トラッキングサーボシステムは、該レーザ寿命延長モード中に、作動させたままであり、サンプリングコントローラは、トラッキングサーボシステムを制御して、レーザ光源が高光出力レベルである場合に得られる、光学記録キャリアから反射されたレーザビームを示す信号に基づいて、該トラッキング制御を行うよう、該レーザ寿命延長モード中に、第３の所定のタイミングでトラッキングサーボ制御信号を生成して出力するように適合される
結果的に、パルス光出力モード中に、フォーカスおよび／またはトラッキングサーボ制御を作動させたままにすることによって、読み取り動作が再開された際に、光学記録媒体上に入射するレーザビームの完全な再フォーカシングおよび／またはトラッキング動作を行う必要はない。これは、レーザがデータを読み取ることなくオンである時間を削減し、したがって、レーザの寿命の持続時間を増加できるようにする。
【００２７】
本発明の別の有利な展開によれば、レーザ寿命延長モード中に、サンプリングコントローラは、フィードバックサンプリングおよびホールド信号、フォーカスサンプリングおよびホールド信号、およびトラッキングサーボ制御信号のうちの少なくとも１つを、パルスレーザドライバ制御信号と同期させるように適合される。
【００２８】
この場合、サンプリングおよびホールド信号を、例えば高レベルのパルスレーザドライバ制御信号と同期させることによって、レーザ光源が高い光出力モードで放射している場合に受信した信号をサンプリングして、少なくとも後続の低光出力レベルの持続時間中に、サンプリングされた信号をホールドするように、対応するサンプリングおよびホールド回路を制御することができる。トラッキングサーボ制御信号が、高レベルのパルスレーザドライバ制御信号と同期された場合に、トラッキングサーボシステムは、レーザ光源が高光出力レベルで放射している場合に検出した信号を使用して、トラッキング制御を行う。
【００２９】
フィードバックサンプリングおよびホールド回路、フォーカスサーボサンプリングおよびホールド回路、およびトラッキングサーボシステムの同期化は、同じ放射レベルの間に、すなわち、光電力が最高レベルにある場合に検出される同じダイオード信号に基づいて、フィードバックおよびサーボ制御動作を行うことができるようにする。さらに、フィードバックおよびサーボ制御動作が同時に行われるように同調させることができるので、高光出力モードの持続時間を最小限に削減することができ、それによって、レーザ寿命延長モード中の、レーザ光源の負荷サイクルをさらに削減する。加えて、低光出力レベルの間、レーザビームが使用されないので、低光出力レベルは、レーザ光源の寿命をさらに向上させるために、ゼロの光電力に設定されてもよい。
【００３０】
本発明の別の有利な実施形態によれば、再生装置は、光ヘッドによって読み取られ、かつ再生される、光学記録キャリアに記録されたデータを格納するように適合される、バッファと、バッファのフィルレベルを監視するように、および、バッファのフィルレベルに基づいて、レーザ寿命延長モードと読み取りモードとの間の遷移を制御するように適合される、システムコントローラとを備える。
【００３１】
このようにして、レーザ寿命延長モードの開始および持続時間の両方の調整は、バッファの現在のフィルレベルに基づいて動的に制御することができる。したがって、読み取りモードとレーザ寿命延長モードとの間の遷移は、再生されるコンテンツのタイプ、データが光ヘッドによって読み取られるレート、および読み取りデータが再生装置によって再生されるレート等に関わらず、読み取りおよび再生の現在の状態に基づいて、動的に調整される。
【００３２】
本明細書は、例えば、以下の項目も提供する。
（項目１）
光学記録キャリアに記録されたデータを再生するための再生装置であって、該装置は、
該光学記録キャリアに記録された該データを読み取るためのレーザ光源を備える、光ヘッドと、
該レーザ光源の光出力を変調するためのレーザドライバユニットであって、該レーザドライバユニットは、該光出力を駆動して、該データの読み取り動作が中断された場合に、読み取りモードからレーザ寿命延長モードに変更するように適合されている、レーザドライバユニットと
を備え、該レーザ寿命延長モードは、パルス光出力モードである、再生装置。
（項目２）
前記レーザドライバユニットは、前記レーザ光源の前記光出力を駆動して、前記データの前記読み取り動作が再開された場合に、前記レーザ寿命延長モードから前記読み取りモードに変更するように適合されている、項目１に記載の再生装置。
（項目３）
前記レーザドライバユニットは、実質的に所定のタイミングで、高光出力レベルと低光出力レベルとの間で前記レーザ光源を切り替えさせるために、前記レーザ寿命延長モード中に、該所定のタイミングでレーザ駆動信号を出力するように適合されている、項目１〜項目２に記載の再生装置。
（項目４）
前記装置は、
前記レーザドライバユニットによって出力される前記レーザ駆動信号の前記タイミングを制御するためのレーザドライバ制御信号出力を生成するように適合されている、サンプリングコントローラをさらに備え、
該サンプリングコントローラは、前記レーザ寿命延長モード中に、前記所定のタイミングでパルスレーザドライバ制御信号出力を生成するように適合され、
該レーザドライバユニットは、該パルスドライバ制御信号に応じて、該所定のタイミングでレーザ駆動信号を出力するように適合されている、項目１〜項目３のうちのいずれか１項に記載の再生装置。
（項目５）
前記サンプリングコントローラは、前記読み取りモード中に、連続的なレーザドライバ制御信号出力を生成することと、前記データの読み取り動作が中断された場合に、該連続的なレーザドライバ制御信号出力を前記パルスレーザドライバ制御信号出力に変更することとを行うように適合されている、項目４に記載の再生装置。
（項目６）
前記装置は、
前記レーザ光源の光出力を示すレーザ監視信号を受信して、該レーザ監視信号をサンプリングおよびホールドし、次いで、該レーザ監視信号を出力するように適合される、フィードバックサンプリングおよびホールド回路と、
入力レーザ監視信号および基準値に基づいて、前記レーザ駆動信号を調整することと、該入力レーザ監視信号を該基準値に収束させることとを行うように、前記レーザドライバユニットを制御するためのフィードバック信号を生成および出力するように適合されている、フィードバック制御回路と
をさらに備え、該フィードバック制御回路は、該フィードバックサンプリングおよびホールド回路から該レーザ監視信号を受信するように適合され、
前記サンプリングコントローラは、該フィードバックサンプリングおよびホールド回路を制御して、該レーザ光源が高光出力レベルである場合に、該受信されたレーザ監視信号をサンプリングすることと、少なくとも後続の低光出力レベルの持続時間中に、該サンプリングされたレーザ監視信号をホールドすることと、前記レーザ寿命延長モード中に、第１の所定のタイミングでフィードバックサンプリングおよびホールド信号を生成および出力することとを行うように適合されている、項目４〜項目５のうちのいずれか１項に記載の再生装置。
（項目７）
前記装置は、
前記レーザ寿命延長モード中に、前記光学記録キャリアから反射されるレーザビームを示す信号に基づいて、該光学記録キャリアに入射するレーザビームのフォーカス制御を行うように適合されている、フォーカスサーボシステムと、
該光学記録キャリアから反射される該レーザビームを示す信号を受信して、該受信された信号をサンプリングおよびホールドし、次いで、該信号を該フォーカスサーボシステムに出力するように適合される、フォーカスサーボサンプリングおよびホールド回路と
をさらに備え、前記サンプリングコントローラは、該フォーカスサーボサンプリングおよびホールド回路を制御して、前記レーザ光源が高光出力レベルである場合に、該受信された信号をサンプリングすることと、少なくとも後続の低光出力レベルの持続時間中に、該信号をホールドすることと、該レーザ寿命延長モード中に、第２の所定のタイミングでフォーカスサンプリングおよびホールド信号を生成および出力することとを行うように適合されている、項目４〜項目６のうちのいずれか１項に記載の再生装置。
（項目８）
前記装置は、
前記光学記録キャリアから反射されるレーザビームを示す信号に基づいて、該光学記録キャリアの記録トラックに入射するレーザビームのトラッキング制御を行うように適合されているトラッキングサーボシステムをさらに備え、
該トラッキングサーボシステムは、前記レーザ寿命延長モード中に、作動状態を維持され、
前記サンプリングコントローラは、該トラッキングサーボシステムを制御して、前記レーザ光源が高光出力レベルである場合に得られる該光学記録キャリアから反射された該レーザビームを示す信号に基づいて、該トラッキング制御を行うように、該レーザ寿命延長モード中に、第３の所定のタイミングでトラッキングサーボ制御信号を生成および出力するように適合されている、項目４〜項目７のうちのいずれか１項に記載の再生装置。
（項目９）
前記レーザ寿命延長モード中に、前記サンプリングコントローラは、前記フィードバックサンプリングおよびホールド信号、フォーカスサンプリングおよびホールド信号、およびトラッキングサーボ制御信号のうちの少なくとも１つを、前記パルスレーザドライバ制御信号と同期させるように適合されている、項目６〜項目８のうちのいずれか１項に記載の再生装置。
（項目１０）
前記装置は、
前記光ヘッドによって読み取られ、かつ再生される、前記光学記録キャリアに記録されたデータを格納するように適合されているバッファと、
該バッファのフィルレベルを監視することと、該バッファのフィルレベルに基づいて、前記レーザ寿命延長モードと前記読み取りモードとの間の遷移を制御することとを行うように適合されている、システムコントローラと
をさらに備える、項目１〜項目９のうちのいずれか１項に記載の再生装置。
添付図面は、本発明の原理を説明するために本明細書に組み込まれて、その一部を形成する。図面は、本発明を、本発明をどのように作製して使用できるのかについて例示され説明される実施例のみに限定するものとして解釈されるべきではない。
【図面の簡単な説明】
【００３３】
さらなる特徴および利点は、添付図面に示されるように、本発明の以下のより具体的な説明から明らかになる。
【図１】図１は、本発明の一実施形態による再生装置の、構成部分の構成を示すブロック図である。
【図２】図２は、本発明の一実施形態による再生装置の、読み取りモードおよび寿命延長モードでの動作中に生成される信号を示すタイミング図である。
【図３】図３は、本発明の一実施形態による再生装置によって行われる、方法またはプログラムの一連の論理ステップを示すフローチャートである。
【図４】図４は、本発明の一実施形態による再生装置の、レーザ寿命延長モードおよび後続の読み取りモードでの動作中のバッファフィルレベルの変動を示すグラフである。
【発明を実施するための形態】
【００３４】
以下、本発明に従って構成される再生装置の有利な実施形態を、添付図面を参照してより詳細に説明する。
【００３５】
図１は、本発明による再生装置１００の構成部分の構成を示すブロック図である。
【００３６】
図１に示されるように、再生装置１００は、光学記録キャリアである光ディスク１の記録トラックに記録されたデータを読み取るための、光ピックアップまたは光ヘッド１１０を有する。
【００３７】
光学記録キャリアは、圧縮の有無に関わらず、音声データおよび／または映像データ等のコンテンツを記録するのに好適であり、光学的手段によって読み取ることができる、あらゆる格納手段とすることができる。
【００３８】
好ましくは、光学記録キャリアは、光磁気ディスク、ＣＤ、ＤＶＤ、ブルーレイディスク、またはＨＤ（高品位）ディスク等の、光ディスク１である。再生装置１００は、ＣＤプレーヤ、ＤＶＤプレーヤ、およびブルーレイプレーヤ等の、当技術分野において公知の光学的手段によって、光ディスク１の記録トラックとして記録されたデータを読み取り、読み取ったデータを、再生すべき再生可能な音声および／または映像信号に変換するのに好適なデバイスである。記録されたデータは、画像データ、音声データ、映像データ、それらの組み合わせ等の、あらゆるタイプのデータであってもよい。再生装置１００は、携帯型ＣＤプレーヤ等の、変換された音声および／または映像信号を再生するための手段を予め備えていてもよい。代替として、再生装置１００は、光ドライブ等の再生手段を備えない場合があるが、その代わりに、再生可能な信号を外部手段に提供して再生してもよい。
【００３９】
光ヘッド１１０は、レーザダイオード２等のレーザ光源と、レーザダイオード２によって光ディスク１上に放射されるレーザビームのスポットを集束させるための対物レンズ等の、光学関連の構成要素３と、光ディスク１上に投射されるレーザビームのトラッキングサーボおよびフォーカスサーボ調整を行うための、トラッキングおよびフォーカシングアクチュエータ（図示せず）とを備える。トラッキングおよびフォーカシングコイル等のトラッキングおよびフォーカシングアクチュエータは、光学レンズのトラッキング方向（光ディスク１の半径方向）、およびフォーカス方向（光ディスク１の表面に対して垂直な方向）に移動させるためのアクチュエータドライバによって制御される。
【００４０】
光ヘッド１１０は、レーザダイオード２によって放射されるレーザのスポットを、光ディスク１の記録トラック上に投射することによって、そして、光ディスク１から反射されたレーザ光ビームを検出することによって、光ディスク１に記録されたデータを読み取る。
【００４１】
本実施形態では、再生装置１００は、光ディスク１からデータを読み取るための１つのレーザダイオード２を実装する。しかしながら、再生装置１００は、例えば、ＤＶＤディスク（６５０ｎｍ）およびＣＤディスク（７８０ｎｍ）等の異なる規格下にある光ディスクに記録されたコンテンツを読み取るための、または光ディスク１を交換せずに２つ以上の光ディスク１を再生するための、２つ以上のレーザダイオード２を備えてもよい。
【００４２】
再生装置１００は、光ディスク１から読み取られる信号に基づいて、または所定の条件下で、データ／アドレスバス１３５を介して、再生装置１００の複数の回路ブロックを制御するＣＰＵ（中央処理装置）１３０等の、システムコントローラを有する。
【００４３】
再生装置１００はさらに、ＣＰＵ１３０によって実行されるデータおよびプログラム、光ヘッド１１０によって読み取られるデータ、および再生されるデータ等の、複数のタイプのデータを一時的および／または恒久的に格納する、格納手段を備える。格納手段は、ＲＡＭ（ランダムアクセスメモリ）フラッシュメモリ、ＥＥＰＲＯＭ（電気的に消去可能なＰＲＯＭ）等のような、不揮発性メモリおよび／または揮発性メモリで構成され得る。図示の実施形態では、格納手段は、ＲＡＭ１４０と、フラッシュメモリ１４５とを備える。
【００４４】
好ましくは、格納手段は、光ヘッド１１０によって読み取られたデータを一時的に格納するためのデータバッファ（図示せず）も備える。バッファは、ＲＡＭ１４０の中に実装され得、データが光ディスク１から光ヘッド１１０によって読み取られるレートと、再生するためにデータが処理されるレートとの差を補償するために使用される。
【００４５】
再生装置１００は、光ディスクドライブを、パーソナルコンピュータ内部のハードディスクのような格納デバイスと接続するために使用される、アドバンスドテクノロジーアタッチメントパケットインターフェース（ＡＴＡＰＩ）等の、外部回路とインターフェースするためのインターフェース（ＩＦ）１５０も備える。
【００４６】
図１に示されるように、再生装置１００は、レーザダイオード２に通電するためのレーザドライバユニットである、レーザダイオードドライバ１６０を備える。レーザダイオードドライバ１６０は、好ましくは、光ヘッド１１０の中に実装されるが、代替として、再生装置１００の中の別個の回路ユニットとして実装されてもよい。
【００４７】
レーザダイオードドライバ１６０は、レーザダイオード２に通電して、レーザダイオード２からの光出力の光電力を変調する、信号駆動レーザを生成して出力する。レーザ駆動信号の振幅および周波数は、レーザダイオード２によって放射されるレーザ光の放射電力および時間変調を決定する。本実施形態では、レーザ駆動信号は、レーザ駆動電流である。しかしながら、レーザ駆動電圧は、当技術分野において公知の回路修正を導入した後に使用される可能性もある。
【００４８】
再生装置１００が２つ以上の接地レーザダイオード２を実装する場合、レーザダイオードドライバ１６０は、各レーザダイオードを動作させるための２つ以上のレーザ駆動出力を伴って設計され得る。代替として、再生装置１００は、各レーザダイオード２を駆動するための、別個のレーザダイオードドライバ１６０を備えてもよい。
【００４９】
簡潔にするため、再生装置１００は、単一のレーザダイオード２と、単一のレーザダイオードドライバ１６０とを備えるものとして説明する。
【００５０】
再生装置１００は、レーザダイオード２を駆動して、読み取りモードおよびレーザ寿命延長モードの２つの相異なる動作モード下で、レーザ光を放射するように実装される。
【００５１】
読み取りモードは、光ヘッド１１０が、そのモード中に光ディスク１に記録された再生されるデータを読み取る、再生装置１００の動作状態を指す。好適な実施形態では、光ディスク１に記録されたコンテンツのデータであるコンテンツデータは、光ヘッド１１０によって読み取られて、データバッファに格納される。格納されたコンテンツデータは、次いで、ＦＩＦＯシーケンスで読み取られて処理され、音声および／または映像信号等の再生可能な、または再生信号に変換される。好ましくは、ある量のコンテンツデータがバッファに格納されると、コンテンツデータをバッファに書き込む動作、および再生されるデータをバッファから読み取る動作が、実質的に同時に行われる。
【００５２】
以下、簡潔に読み取り動作と称する、光ディスク１からのデータ読み取り動作中に、レーザダイオードドライバ１６０は、読み取り動作に必要な光電力を伴うレーザビームを放射するようにレーザダイオード２駆動する、連続的なレーザ駆動電流を生成して出力する。読み取り動作中、平均光電力は、実質的に一定にホールドされる。
【００５３】
レーザ寿命延長モードは、光ディスク１の記録トラックに記録されたコンテンツデータを示す信号を作成するために、光ヘッド１１０が駆動されていない間の、またはバッファのオーバーフローを回避するために、メモリバッファへの音声および／または映像コンテンツデータのストリームが中断されている間の、動作状態を指す。
【００５４】
再生装置１００が、光ディスク１にデータを記録する、または書き込むための手段を有する場合、レーザ寿命延長モード中にはいかなる記録動作も行われない。
【００５５】
光ディスク１からバッファへのコンテンツデータの読み取り動作が中断されるので、ある一定の電力でのダイオードレーザ２によるレーザ光の放射は不要である。したがって、レーザダイオードドライバ１６０は、パルスレーザビームを放射するようにレーザダイオード２を駆動するための、パルス信号の形態を伴うレーザ駆動信号を、所定のタイミングまたは周波数で出力する。したがって、レーザ寿命延長モードは、パルス光出力モードである。
【００５６】
レーザ寿命延長モードは、光ディスク１からのデータ読み取り動作の中断状態が終了されて読み取り動作が再開されるまで、ホールドされる。再生装置１００は、次いで、読み取りモードでの動作に切り替わり、コンテンツデータの入力ストリームの次の中断までホールドされる。
【００５７】
レーザ寿命延長モード中に、パルスレーザビームは、実質的に所定のタイミングで、２つの離間された放射電力レベルの間で、すなわち高光出力レベル（オン状態）と低光出力レベル（オフ状態）とが、迅速に切り替わる。
【００５８】
所定のタイミングは、その寿命を延ばすために、パルス光出力モード中に、レーザダイオード２の負荷サイクルを最小化するように選択される。レーザ寿命延長モード中の負荷サイクルは、レーザダイオードを高光出力レベルで放射させる総時間と、レーザ寿命延長モードの持続時間との比率として定義することができる。
【００５９】
所望の負荷サイクル、レーザ寿命延長モードの持続時間、および読み取りモードとレーザ寿命延長モードとの切り替え回数は、以下に説明される、光ディスク１に記録された音声および／または映像コンテンツのサイズ、バッファサイズ、ならびに入力および出力データレート等の、複数のパラメータに依存する。したがって、全コンテンツの再生中に、再生装置１００は、読み取りモードでの動作とレーザ寿命延長モードでの動作とを、１回または複数回、切り替える必要が生じ得る。また、レーザ寿命延長モードへのいかなる遷移も不要である場合が生じ得る。
【００６０】
レーザ寿命延長モード中に、所望の負荷サイクルを達成するために、レーザドライバユニット１６０は、オンおよびオフ状態に望まれる電力放射に対応する振幅の間を迅速に切り替える、レーザ駆動信号を出力する必要がある。
【００６１】
好適な実施形態では、レーザダイオードドライバ１６０は、「低」に設定されたイネーブル信号がレーザダイオードドライバ１６０のイネーブル入力に印加された場合に、レーザ駆動電流のための出力電流チャネルを完全に遮断できるようにする、イネーブル入力で設計される。出力電流チャネルは、印加されるイネーブル信号を「高」に設定することによって、有効にされる。レーザダイオードドライバ１６０のイネーブル入力は、好ましくは、デジタルタイプであり、イネーブル信号の立ち上がりエッジ状態でアクティブになり、イネーブル信号の立ち下がりエッジで非アクティブになる。
【００６２】
したがって、イネーブル入力に印加されるタイミング信号の「高」および「低」に応じて、レーザ駆動電流出力は、タイミング信号と実質的に同じタイミングで、オン／オフを迅速に切り替えるように制御される。
【００６３】
代替として、レコーダに使用されるものに類似したレーザダイオードドライバ１６０を使用して、レーザ寿命延長モード中に、所望のタイミングでレーザ駆動パルスを出力するために、好適に制御することができる。より具体的には、レーザダイオードドライバ１６０は、読み取り動作に必要とされる光出力に対応するレーザ駆動電流を出力する、読み取りチャネル出力と、レーザ寿命延長モード中に、所望のタイミングでパルスレーザ駆動電流を出力するために制御される、少なくとも１つの書き込みチャネルとを含み得る。書き込みチャネル出力の非常に高速なスイッチング速度は、レーザ寿命延長モード中に、所望の周波数でパルスレーザ駆動電流を出力できるようにする。
【００６４】
図１に示されるように、再生装置１００は、再生装置１００の１つ以上の回路ブロックの動作を適時に制御および同調するための、少なくとも１つのタイミング信号を生成して出力する機能を果たす、サンプリングコントローラ１７０を有する。サンプリングコントローラ１７０は、別個の回路ブロックとして実装され、制御される回路および／または動作に応じて、異なるタイミング信号を生成し得る。例えば、タイミング信号は、２つの特定の回路の動作を同期させるためのクロック信号であってもよい。回路は、同期化のためにクロック信号を使用して、クロックサイクルの立ち上がりエッジ、立ち下がりエッジ、または両方のエッジのいずれかにおいてアクティブになる。
【００６５】
より具体的には、サンプリングコントローラ１７０は、レーザドライバ制御信号と実質的に同じタイミングでレーザ駆動電流をレーザダイオードドライバ１６０に出力させる、タイミング信号である、レーザドライバ制御信号を生成して出力する。
【００６６】
レーザドライバ制御信号はレーザダイオードドライバ１６０のイネーブル入力に印加され、したがって、レーザドライバイネーブル信号として機能する。レーザドライバイネーブル信号の詳細を、図２を参照して説明する。
【００６７】
読み取りモード中に、サンプリングコントローラ１７０は、レーザダイオードドライバ１６０のイネーブル入力に送られる、連続的な非ゼロ振幅を有するレーザドライバイネーブル信号を生成して出力する。したがって、現在のレーザダイオードドライバ１６０の出力は、イネーブルのままである。
【００６８】
データの読み取り動作が中断されて、レーザ寿命延長モードが開始された場合に、サンプリングコントローラ１７０によって出力されるレーザドライバイネーブル信号は、連続的なレーザドライバ制御信号からパルスレーザドライバ制御信号に変更される。好ましくは、パルスレーザドライバ制御信号は、レーザダイオード２に望まれる負荷サイクルに対応するタイミングで、「１」および「０」等の２つの離間されたレベルの間を変動する、サンプリングパルスである。
【００６９】
より具体的には、パルスレーザドライバ制御信号は、レーザダイオード２のオフ状態の所望の持続時間に対応する時間間隔中は「低」に設定され、レーザ寿命延長モード中のレーザダイオード２のオン状態の所望の持続時間に対応する時間間隔中は「高」に設定される。
【００７０】
パルスレーザドライバ制御信号に応じて、レーザダイオードドライバ１６０の出力電流チャネルは、パルスドライバ制御信号のタイミングに従って、断続的にイネーブル／ディスエーブルとなる。結果的に、レーザダイオードドライバ１６０によって出力されるレーザ駆動電流は、実質的に所望の負荷サイクルで「高」と「低」の値の間を変動するパルス信号の形態を有し、それによって、実質的に所望のタイミングでレーザダイオード２にパルスレーザビームを放射させる。
【００７１】
高光出力レベルの間かつ読み取りモード中の、レーザ駆動電流の振幅、したがって放射される光電力は、以下に説明されるように、レーザダイオードドライバ１６０に送られるレーザ基準信号に基づいて調整される。好ましくは、レーザ駆動電流は、低光出力レベルの間、ゼロに設定される。
【００７２】
レーザ寿命延長モードが終了して、読み取りモードの動作が再開された場合に、サンプリングコントローラ１７０によって出力されるレーザドライバイネーブル信号は、パルス信号から元の連続的なドライバ制御信号に変更される。
【００７３】
レーザダイオードドライバ１６０は、レーザ基準信号に基づいて、出力レーザ駆動電流の振幅を、最終的には、レーザダイオード２によって放射されるレーザ光の光電力を調整する。レーザ基準信号の量は、所望の光電力を示す。
【００７４】
図１に示されるように、レーザ基準信号は、再生装置１００に備えられるレーザ自動出力制御（ＡＰＣ）１８０によって、レーザダイオードドライバ１６０に供給される。
【００７５】
ＡＰＣ回路１８０は、光電力を所望の値の範囲内にホールドする等のために、レーザ駆動信号の振幅を調整するようにレーザダイオードドライバ１６０を制御する、フィードバック制御回路である。フィードバック制御回路はまた、レーザダイオード２に損害を与え得る、最大動作レベルを超えるレーザ駆動信号のオーバーシュートを回避する。
【００７６】
本実施形態では、フィードバック制御回路は、好ましくはレーザ自動出力制御回路１８０であるが、フィードバック制御回路は、周囲温度を監視するための回路と組み合わせて自動出力制御を使用して実装することも可能である。
【００７７】
ＡＰＣ回路１８０は、所望の光出力に対応する基準値をレーザダイオード２の光出力を示す入力制御信号と比較し、比較結果に基づいて、所望の基準値からの入力制御信号の逸脱を最小化するように、レーザダイオードドライバ１６０に供給されるレーザ基準信号の振幅を調整する。図示の実施形態では、レーザ基準信号は、レーザ基準電圧である。
【００７８】
図１を参照すると、再生装置１００は、レーザダイオード２によって現在放射されている光電力を示す制御信号を提供するためのレーザ監視センサである、前方ダイオードモニタ１９０を有する。
【００７９】
前方ダイオードモニタ１９０は、検出光出力と比例関係にある、図示される実施形態では監視電圧である、レーザ監視信号を生成する。前方ダイオードモニタ１９０は、監視電流を監視電圧に変換するためのＩＶ変換回路とともに、  入射レーザ放射に基づいて監視電流を生成する、光ダイオード等の光検出器要素として実装されてもよい。
【００８０】
ＡＰＣ回路１８０の閉ループ状態は、読み取りモードおよびレーザ寿命延長モードの間、ホールドされる。したがって、ＡＰＣ回路１８０が、振動レーザ監視電圧に応じて、レーザダイオード２のオフ状態中およびオン状態中の両方で、電力フィードバック制御を行うのを回避するために、再生装置１００は、前方監視ダイオード１９０によってレーザ監視信号出力をサンプリングおよびホールドする、フィードバックサンプリングおよびホールド回路を実装する。フィードバックサンプリングおよびホールド回路は、以下、ＡＰＣ  Ｓ／Ｈ回路２００と称する。
【００８１】
図１に示されるように、ＡＰＣ  Ｓ／Ｈ回路２００は、前方ダイオードモニタ１９０の出力段とＡＰＣ回路１８０の入力段との間に、別個の回路として実装される。しかしながら、ＡＰＣ回路１８０が、ＡＰＣ  Ｓ／Ｈ回路２００の機能を内部に実装することが想定され得る。
【００８２】
ＡＰＣ  Ｓ／Ｈ回路２００は、前方ダイオードモニタ１９０から監視電圧を受け、受けた監視電圧をサンプリングし、サンプリングした値を所定の時間ホールドし、そして、ホールド監視電圧をＡＰＣ回路１８０に供給する。
【００８３】
読み取りモード中に、レーザダイオード２は、一定の平均光電力でレーザ光を放射する。したがって、前方ダイオードモニタ１９０によって作成されるレーザ監視信号は、実質的に一定である。
【００８４】
しかしながら、レーザ寿命延長モード中に放射されるパルスレーザビームは、前方ダイオードモニタ１９０に、実質的に同じタイミングで振動するレーザ監視電圧を生成させる。
【００８５】
したがって、レーザ寿命延長モード中に、ＡＰＣ  Ｓ／Ｈ回路２００は、レーザダイオード２がオン状態である場合に、監視電圧をサンプリングするように、かつ、少なくともレーザダイオード２がオフ状態である時間量の所定の時間にわたって、少なくとも後続のオフ状態中にサンプリングされた値をホールドするように制御される。
【００８６】
本実施形態では、ＡＰＣ  Ｓ／Ｈ回路２００のサンプリング周波数は、サンプリングコントローラ１７０によって生成されて出力される、サンプリングおよびホールド信号によって外部的に制御される。この、ＡＰＣ  Ｓ／Ｈ信号と称されるサンプリングおよびホールド信号は、レーザ寿命延長モード中に、監視電圧のサンプリングをパルス光出力のオン状態と一致させるように、レーザドライバイネーブル信号と同期される。好ましくは、ＡＰＣ  Ｓ／Ｈ信号およびレーザドライバイネーブル信号の周波数は、実質的に同じである。
【００８７】
図２に示されるように、ＡＰＣ  Ｓ／Ｈ信号は、レーザドライバイネーブル信号と同期され、よって、サンプリング時間（上向きの矢印で示される）を、それぞれ高レベルのレーザドライバ制御信号と一致させる。しかしながら、ＡＰＣ  Ｓ／Ｈ信号は、サンプリング時間が、高レベルのレーザドライバイネーブル信号と一致される限りは、異なる周波数を有してもよい。
【００８８】
このように、ＡＰＣ回路１８０に送られる入力制御信号は、レーザダイオード２のオン状態中に、常に光出力を示す。結果的に、ＡＰＣ回路１８０は、レーザダイオード２のオフ状態中に、フィードバック制御を行う必要はないが、オン状態中に検出される光電力に関して常時調整される、レーザ基準電圧をレーザダイオードドライバ１６０に提供する。後続のオフ状態中に、ＡＰＣ回路１８０は、その前のオン状態中にサンプリングされた監視電圧に基づいて調整されたレーザ基準電圧の出力を継続するが、レーザダイオードドライバ１６０の出力電流チャネルが、レーザドライバイネーブル信号を「低」にすることによって、オフ状態中にディスエーブルにされるので、このレーザ基準電圧は、レーザダイオードドライバ１６０にいかなる影響も及ぼさない。
【００８９】
好ましくは、サンプリングコントローラは、読み取りモード中に、同じサンプリング周波数でＡＰＣ  Ｓ／Ｈ信号を生成する。しかしながら、読み取りモード中に、他のサンプリング周波数が生成される可能性がある。
【００９０】
一方では、ＡＰＣ回路１８０によって使用される基準値は、装置の格納手段に格納されていてもよい。好ましくは、レーザ寿命延長モードのオン状態中に使用される光電力に対応する基準値は、読み取りモード中に使用される基準値と同じである。しかしながら、これらの基準値は、個別に設定されてもよく、よって、オン状態で放射される光電力は、読み取りモード中に放射される光電力と異なる。
【００９１】
再生装置１００はさらに、好ましくは光ヘッド１１０の中に実装される、光検出器ユニットである、光検出器集積回路（ＰＤＩＣ）２１０を備える。ＰＤＩＣ２１０は、光ディスク１によって反射されたレーザビームを検出し、検出したレーザビームに基づいて、供給されたダイオード信号から各種情報を取り出すために、ダイオード信号を外部処理回路に供給する。
【００９２】
このような回路のうちの１つは、再生装置１００の中に備えられる読み取りチャネルユニット２２０である。ＰＤＩＣ２１０によって供給されるダイオード信号に基づいて、読み取りチャネルユニット２２０は、再生データとしてＨＦ信号を作成する。ＨＦ信号は、デジタル信号プロセッサ（ＤＳＰ）２３０に送信されて、処理される。
【００９３】
図１に示されるように、再生装置１００は、光ディスク１の記録トラック上に投射されるレーザビームスポットのフォーカス制御を行うための、フォーカスサーボシステム２４０を有する。
【００９４】
好適な実施形態では、フォーカスサーボシステム２４０は、読み取りモード中およびレーザ寿命延長モード中の両方で、作動する。このように、オンにされた場合にフォーカスシーケンス全体を行うためにフォーカスサーボシステム２４０によって必要とされる待ち時間を排除することができ、また、レーザダイオード２をオンにする必要がある時間量が削減され、それによって、レーザダイオード２の寿命が向上する。
【００９５】
フォーカスサーボシステム２４０は、サーボマトリックス回路２５０と、従来技術において公知のサーボアナログ−デジタルコンバータ２６０（サーボＡＤＣ）とを備える。
【００９６】
サーボＡＤＣ２６０は、入力アナログ信号をデジタル信号に変換する。サーボマトリックス回路２５０は、サーボＡＤＣ２６０から受信されるデジタル信号に基づいて、フォーカス誤り信号（ＦＥ）、チルト誤り信号（Ｔｉｌｔ）等のサーボ信号を生成する。生成されたサーボ信号は、受信したサーボ信号の位相補償処理、利得補正処理等を実行する、ＤＳＰ２３０に供給される。処理されたサーボ信号は、フォーカスサーボ制御を行うためのアクチュエータドライバ（図示せず）に印加される。
【００９７】
レーザダイオード２は、ＡＰＣ回路１８０のアナログ入力段に切り替えられて、サーボＡＤＣが安定するまでの間だけオンにされる。サーボがその動作をホールドするので、サーボ回路ブロックに供給されるダイオード信号をサンプリングする必要がある。
【００９８】
本実施形態では、再生装置１００は、以下サーボＳ／Ｈ回路と称される、サーボＡＤＣ２６０の前段に実装される、フォーカスサーボサンプリングおよびホールド回路２７０を有する。サーボＳ／Ｈ回路２７０は、ＰＤＩＣ２１０から受信したアナログダイオード信号をサンプリングする役割と、アナログダイオード信号をサーボＡＤＣ２６０に送る前に、所定の時間にわたって安定する、受信したアナログ信号値をホールドする役割とを果たす。
【００９９】
より具体的には、パルス光出力モード中に、サーボＳ／Ｈ回路２７０は、オン状態でレーザダイオード２が放射している間に、アナログダイオード信号をサンプリングするように、および、レーザダイオード２がオフ状態である少なくとも後続の状態中に、サンプリングした信号をホールドするように制御される。
【０１００】
サーボＳ／Ｈ回路２７０のサンプリングレートは、サンプリングコントローラ１７０によって生成されて供給される、以下サーボＡＤＣ  Ｓ／Ｈ信号と称される、サンプリングおよびホールド信号によって外部的に制御される。
【０１０１】
図２を参照すると、サンプリングコントローラ１７０は、レーザ寿命延長モード中に、レーザドライバイネーブル信号と実質的に同じ周波数であるサンプリング周波数で、サーボＡＤＣ  Ｓ／Ｈ信号を生成する。さらに、サーボＡＤＣ  Ｓ／Ｈ信号は、レーザダイオード２がオン状態であり、かつオフ状態中にホールドされる場合に、サーボＳ／Ｈ回路２７０に、ＰＤＩＣ２１０によって供給される信号をサンプリングさせるように、レーザドライバイネーブル信号と同期される。図２に示されるように、サンプリングコントローラ１７０は、サーボＡＤＣ  Ｓ／Ｈ信号のサンプル時間をレーザドライバイネーブル信号が高レベルである瞬間と一致させることによって、レーザドライバイネーブル信号およびサーボＡＤＣ  Ｓ／Ｈを同期させる。代替として、サーボＡＤＣ  Ｓ／Ｈ信号の周波数は、サンプル時間と高レベルのレーザドライバイネーブル信号との同期化をホールドしながら、個別に設定することができる。
【０１０２】
簡潔にするため、サーボＳ／Ｈ回路２７０のサンプリングレートは、読み取りモードが再開する場合にホールドされてもよい。代替として、サーボＡＤＣ  Ｓ／Ｈ信号のサンプリング周波数は、読み取りモード中に、個別に設定されてもよい。例えば、読み取りモード中に、より緻密なサーボ制御を提供するために、サーボＡＤＣ２６０によって必要とされる最短時間を上限として、サンプリングレートを増大させ、受信したアナログ信号を変換することができる。
【０１０３】
サンプリングコントローラ１７０はさらに、アナログ−デジタル変換を同期させるためにサーボＡＤＣ２６０に供給される、別のタイミング信号であるＡ／Ｄ同期化信号を生成する。サーボＡＤＣ２６０は、内部アナログ−デジタル変換にひつようとされる時間にわたって、入力信号をサンプリングおよびホールドするための内部サンプリングおよびホールド回路を実装してもよい。
【０１０４】
上述の実施形態では、サーボＳ／Ｈ回路２７０およびサーボＡＤＣ２６０は、別個の回路であるが、サーボＳ／Ｈ回路２７０の機能は、サーボＡＤＣ２６０に実装されてもよく、よって、外部サーボＡＤＣ  Ｓ／Ｈ信号を印加するための付加的な制御入力で設計される。
【０１０５】
別の実施形態では、再生装置１００はさらに、高い精度でレーザ光をピットシーケンス上に照射するための、トラッキングサーボシステムを備える。トラッキングサーボシステムは、記録トラックに対して光ディスク１上に投射されるレーザビームスポットのトラッキング制御を行うための、トラッキングサーボ信号を作成する。
【０１０６】
好ましくは、トラッキングサーボシステムは、公知の差動位相検出方法を使用する、トラッキング誤り検出回路を備える。この方法は、ディスク表面から反射されたレーザ光が、複数の受光部分に分割された光検出器デバイスによって受信された場合に、各分割部分から出力された信号間に位相差が生成されるという事実に基づいている。検出された位相差は、トラッキング誤りの量を示すトラッキング誤り信号（ＴＥ）を生成するために使用される。次いで、得られたＴＥ信号を使用して、フィードバックトラッキング制御が行われる。
【０１０７】
図１を参照すると、再生装置１００は、差動位相検出器（ＤＰＤ）回路２８０を備える。ＤＰＤ回路２８０は、ＰＤＩＣ回路２１０によって供給されるダイオード信号から位相差情報を得て、該位相差情報をアナログ量（例えば、電圧値）に変換し、そして、得られたアナログ量を、後続の段で処理するためにＤＳＰ回路２３０に渡す。
【０１０８】
代替として、ＤＰＤ回路２８０は、ピットエッジのタイミング情報（ダイオードの時間差測定）に基づいて、トラック誤りを計算してもよい。レーザがオンである間に、ＤＰＤ回路２８０は、時間差を測定して、トラッキング誤りを計算する。
【０１０９】
好適な実施形態では、トラッキングサーボシステムは、読み取りモード中、レーザ寿命延長モード中、および２つのモード間の遷移中に、作動させたままである。したがって、レーザ寿命延長モードを出て、読み取りモードが再開された場合に、トラッキングシーケンス全体を行うことができるようにするために、光ディスク１からのデータの読み取りを効果的に開始する前に、レーザダイオード２をオンにする必要はない。このように、データを読み取ることなくレーザダイオード２がオンにされる時間をさらに削減することができ、また、その寿命が向上する。
【０１１０】
レーザ寿命延長モード中に、トラッキングサーボ制御を作動させたままにするために、ＤＰＤ回路２８０は、レーザダイオード２が高出力レベルで放射している間に、トラッキングエラーを測定して計算するように制御される。トラッキング誤り検出のこの同期化は、所定のタイミングでＤＰＤ有効信号をＤＳＰ回路２３０に印加することによって達成される。
【０１１１】
好適な実施形態では、サンプリングコントローラ１７０は、別のタイミング制御信号である、ＤＰＤ有効信号を生成して出力する。図２を参照すると、ＤＰＤ有効信号は、レーザダイオード２がデータを読み取るためにほぼ一定の光電力で放出している読み取りモード中に、本質的に「高」に設定される。読み取り動作が中断されて、レーザ寿命延長モードが開始された場合に、サンプリングコントローラ１７０は、ＤＰＤ有効信号を、所望のタイミングで連続信号からパルスまたはクロック信号に切り替える。
【０１１２】
好ましくは、ＤＰＤ有効信号の周波数は、パルスレーザドライバイネーブル信号の周波数と同じである。加えて、サンプリングコントローラ１７０は、ＤＰＤ有効信号をレーザドライバイネーブル信号と同期させ、よって、ＤＰＤ回路２８０は、レーザダイオード２が、ＤＰＤ有効信号に応じて、高光出力状態で放射している場合にだけ、トラッキング検出を行う。例えば、サンプリングコントローラ１７０は、ＤＰＤ有効信号の立ち上がりエッジをレーザドライバイネーブル信号の立ち上がりエッジと同期させ、ならびに、２つの信号の立ち下がりエッジを同期させる。
【０１１３】
このように、レーザ寿命延長モード中にパルスレーザビームによって作成されたＨＦ信号は、光ディスク１からのデータの読み取り動作が中断されている時間中に、トラッキングサーボシステムによって使用することができる。したがって、光ディスク１からのデータの読み取り動作が中断された場合に、レーザダイオード２を連続的にオンにしたままにすることを必要とせずに、トラッキング制御を作動させたままにしておくことが可能である。
【０１１４】
高光出力レベルおよびパルス周波数の持続時間等の、パルスレーザ光出力の特徴は、再生装置１００の特徴に基づいて定義される。これらはまた、レーザ駆動制御信号、ＤＰＤ有効信号、ＡＰＣ  Ｓ／Ｈ信号、および／またはサーボＡＤＣ  Ｓ／Ｈ信号等の、サンプリングコントローラ１７０によって生成されるタイミング信号の特徴を決定する。これらの信号の特徴パラメータは、格納手段１４０に事前格納することができる。
【０１１５】
上述のように、レーザダイオード２は、ＡＰＣ回路１８０のアナログ入力段が安定するまで、オンのままにしておかなければならない。
【０１１６】
加えて、レーザ寿命延長モード中に、フォーカスおよび／またはトラッキングサーボ制御を作動させたままであるので、パルス幅、すなわちオン状態の持続時間は、フォーカスおよび／またはトラッキングサーボシステムが、サーボ誤りを検出して最小にホールドできるようにするのに十分長くする必要がある。
【０１１７】
例えば、パルス幅は、少なくともサーボＡＤＣ２６０の入力段の安定時間によって制限される。レコーダから、パルス幅が非常に狭く（数１０ｎｓの幅）なる可能性があり、１／１００以下のレーザの負荷サイクルに変換することが分かっている。
【０１１８】
加えて、パルス光出力中に、トラッキングサーボ制御を効果的に作動させたままにすべきである場合、パルスレーザビームの幅は、トラッキングサーボシステムが有効トラッキング信号を得られ得るように、光ディスク１においていくつかのピット／ランド遷移の検出を可能にするのに十分長くしておく必要がある。
【０１１９】
次いで、レーザダイオード２の寿命は、有効トラッキング信号、ならびにレーザＡＰＣ１８０およびサーボＡＤＣ２６０の安定時間を得るために、ＤＰＤ回路２８０によって必要とされる時間の中で最長のものとして、サンプリングコントローラ１７０によって生成される、レーザドライバ制御信号のパルス幅を設定することによって最大化される。
【０１２０】
各オフ状態の最大持続時間は、サンプリングおよびホールド回路の最大ホールド時間、ならびに有効な電力フィードバックおよびサーボ制御をホールドするように、ダイオード信号および監視電圧サンプリングする必要がある周波数に基づいて決定することができる。
【０１２１】
パルス光出力モード中のレーザダイオード２の負荷サイクル、すなわち、オンおよびオフ状態の持続時間、ならびにパルス周波数は、所望のタイミングでタイミング信号を生成するために、ＣＰＵ１３０および／またはサンプリングコントローラ１７０によって使用される、再生装置１００の格納手段１４０の中に前もって格納することができる。
【０１２２】
具体的には、サンプリングコントローラ１７０は、対応する時間特徴を伴うパルスレーザドライバイネーブル信号を生成するための、格納されたパラメータを指し得る。
【０１２３】
レーザ寿命延長モードの持続時間、および読み取りモードとレーザ寿命延長モードとの間の遷移は、ＣＰＵ１３０によって同調され、再生装置１００および／または再生されるコンテンツの特徴等の、複数の因子に依存する。
【０１２４】
上述のように、再生装置１００は、好ましくは、データが光ディスク１から読み取られるレートとデータが再生されるレートとの差を補償するように、バッファを使用する。
【０１２５】
データがバッファから読み取られる（データの出力ストリーム）レートよりも高い入力データレートで、データがバッファに書き込まれる（データの入力ストリーム）場合に、光ディスク１に格納されている全コンテンツが読み取られる前に、バッファを経時的に満たして、最終的にはその全容量に到達する。
【０１２６】
光ディスク１からバッファへのデータの読み取り動作は、次いで、バッファのオーバーフローを回避するために、ある時間量にわたって中断または休止され、レーザダイオード２は、その寿命を向上させるために、レーザ寿命延長モードで駆動される。
【０１２７】
好適な実施形態では、レーザ寿命延長モードの持続時間、および読み取りモードとレーザ寿命延長モードとの間の遷移は、バッファのフィルレベルに基づいて、ＣＰＵ１３０によって動的に制御される。
【０１２８】
図３は、再生装置１００によって、より具体的にはＣＰＵ１３０によって行われる、方法またはプログラムの一連の論理ステップを示す。
【０１２９】
ステップＳ３００で、再生装置１００が、光ディスク１からのコンテンツの再生を開始すると、ルーチンは、再生装置１００によって行われる複数の動作が、上記に説明される読み取りモードで制御される、ステップＳ３０２に進む。これらの動作は、光ディスク１からのコンテンツデータの読み取り、読み取りチャネルユニット２４０によって処理されたコンテンツデータのバッファへの格納、および再生されるデータのバッファからの読み取りを含む。加えて、上記に説明されるように、読み取りモードでの動作はまた、電力フィードバック制御、フォーカス制御、およびトラッキング制御のうちの少なくとも１つを含む。
【０１３０】
ルーチンは、バッファのフィルレベルが監視され、よって、バッファへのデータの入力ストリームが、検出されたバッファフィルレベルに基づいて制御され得る、ステップＳ３０４を含む。バッファフィルレベルは、バッファに格納されたデータの量を示し、連続的に、またはある時間間隔で監視することができる。
【０１３１】
次いで、ルーチンは、バッファに格納されたデータの量が空レベルに到達したかどうかが判断される、ステップＳ３０６を含む。「いいえ」という回答が得られた場合、ルーチンは、バッファフィルレベルが所定の上限閾値レベルに到達したかどうかが判断される、ステップＳ３０８に進む。「はい」という回答が得られた場合、ルーチンは、ＣＰＵ１３０が読み取りモードの中断を支持する、ステップＳ３１０に進む。したがって、入力データストリームは、中断される。ルーチンは、次いで、レーザ寿命延長モードでの動作が起動される、ステップＳ３１２に進む。
【０１３２】
上記に説明されるように、レーザ寿命延長モードでの動作中に、バッファへのデータの入力ストリームが中断され、一方で、バッファに格納されたデータは、再生のために読み取りが継続される。したがって、コンテンツの再生動作は、中断されることなく、レーザ寿命延長モードの間ホールドされる。再生装置１００がまた、光ディスク１にデータを記録するためにも実装されている場合は、レーザ寿命延長モード中に、いかなる光ディスク１へのデータの書き込み動作も行われない。
【０１３３】
レーザ寿命延長モードの動作はまた、先に説明したように、レーザドライバイネーブル信号および／またはＤＰＤ有効信号を、連続的な信号からパルス信号に変更するように、サンプリングコントローラ１７０に指示することを含む。
【０１３４】
レーザ寿命延長モードが起動されると、ルーチンは、バッファのフィルレベルを監視するステップＳ１１４を含み、その後には、バッファに格納されたデータの量が所定の下限閾値に到達したかどうかを判断する、ステップＳ１１６が続く。得られた回答が「いいえ」である場合、レーザ寿命延長モードの動作はホールドされ、ステップＳ１１４およびＳ１１６が繰り返される。
【０１３５】
下限閾値に到達したと判断された場合に、ルーチンは、レーザ寿命延長モードでの動作を出る、ステップＳ１１８に進む。
【０１３６】
ルーチンは、次いで、読み取りモードでの動作が再開される、ステップＳ３２０へ進む。続いて、ルーチンは、ステップＳ３０２に戻り、全てのコンテンツデータが光ディスク１から読み取られて再生されるまで、ステップＳ３０２〜Ｓ３１８を繰り返す。最終的には、ステップＳ３０６で、バッファのフィルレベルが空レベルに到達したと判断された場合に、ルーチンは、ステップＳ２２２に進み、コンテンツの再生が終了する。
【０１３７】
図４は、本発明の一実施形態による再生装置１００の、レーザ寿命延長モード中および後続の読み取りモード中のバッファフィルレベルの変動を示す。
【０１３８】
図４を参照すると、バッファのフィルレベルは、最初は所定の上限閾値レベルにあり、示される実施例では、バッファの全容量（４Ｍｂ）と一致する。
【０１３９】
バッファオーバーフローを回避するために、バッファに格納されたデータの量が特定の上限閾値レベルに到達したと判断されると、光ディスク１からバッファに読み取られるデータの入力ストリームが中断され、レーザダイオード２の寿命を延ばすために、レーザ寿命延長モードが起動される。レーザ寿命延長モード中に、ＣＰＵ１３０は、バッファからデータを読み出して再生を継続し、したがって、バッファのフィルレベルは、データがバッファから読み取られるのと同じレートで、時間とともに直線的に減少する。同時に、ＣＰＵ１３０は、バッファのフィルレベルの監視を継続する。
【０１４０】
示される実施例ではフィルレベルが１．５Ｍｂである、特定の下限閾値に到達した場合に、ＣＰＵ１３０は、レーザ寿命延長モードの終了および通常の読み取りモードへの切り替えを指示し、それによって、光ディスク１からのデータの読み取り動作を再開する。上記に説明されるように、レーザ寿命延長モード中に、フォーカスおよびトラッキング制御を作動させたままであるので、トラッキングおよびフォーカス動作を行うためのいかなる待ち時間も不要である。したがって、寿命延長モードが終了すると、光ディスク１からのデータの読み取り動作を、ほぼ即時に再開することができる。したがって、バッファへの入力データストリームが再開され、バッファは、入力データレートと出力データレートとの差に実質的に対応するレートでリフィルされる。
【０１４１】
ＣＰＵ１３０は、バッファフィルレベルの監視をホールドし、最終的に、上限閾値に到達したことを検出した場合に、バッファオーバーフローを回避するように、再びデータの入力ストリームを中断して、レーザダイオード２の寿命を伸ばすために、レーザ寿命遷移モードへの遷移を指示する。
【０１４２】
所与のコンテンツの再生中の読み取りおよびレーザ寿命延長モードの持続時間は、したがって、固定されるのではなく、バッファフィルレベルだけに基づいて動的に設定される。したがって、再生されるコンテンツがバッファのフィル容量を必要としない場合、ならびに／または入力および出力データレートが類似している場合、全コンテンツは、レーザ寿命延長モードへの遷移を必要とせずに再生され得る。レーザ寿命延長モードの持続時間中のレーザ光のパルス回数は、所望の負荷サイクルに対するパラメータを使用して、ＣＰＵ１３０によって決定されて、格納手段１４０に格納される。
【０１４３】
代替として、レーザ寿命延長モードおよび／または読み取りモードの持続時間は、バッファ容量、入力データおよび出力データの最大レート等の、再生装置１００の特徴に基づいて事前に設定されて、格納手段１４０に格納される、固定パラメータを使用して制御され得る。ＣＰＵ１３０は、次いで、レーザ寿命延長モードの持続時間および／またはこれらの動作モード間の遷移を制御するための格納されたパラメータを参照する。
【０１４４】
当業者には明らかなように、上述の実施形態のそれぞれおよびそれらの組み合わせは、再生専用装置ではなく、再生／録音装置であってもよく、該装置は、光ヘッドによって読み取られるデータから得られる音声および／または映像信号を再生するための、再生手段を備える。また、本発明は、光ディスクに記録されたデータから音声および／または映像信号を得て、得られた音声および／または映像信号を外部再生手段に供給して再生する、光ドライブに適用できることも明らかである。
【符号の説明】
【０１４５】
１  光ディスク
１００  再生装置
１１０  光ヘッド
１２０  光ディスク
２  レーザダイオード
３  光学関連の構成要素
１３０  ＣＰＵ
１３５  データ／アドレスバス
１４０  ＲＡＭ
１４５  フラッシュメモリ
１５０  インターフェースＩＦ
１６０  レーザダイオードドライバ
１７０  サンプリングコントローラ
１８０  ＡＰＣ回路
１９０  前方ダイオードモニタ
２００  ＡＰＣ  Ｓ／Ｈ回路
２１０  光検出器集積回路（ＰＤＩＣ）
２２０  読み取りチャネルユニット
２３０  デジタル信号プロセッサ（ＤＳＰ）
２４０  フォーカスサーボシステム
２５０  サーボマトリクス回路
２６０  サーボアナログ−デジタルコンバータ（サーボＡＤＣ）
２７０  サーボＳ／Ｈ回路
２８０  差動位相検出器（ＤＰＤ）
【図１】
2014081994.tif 000003
【図２】
2014081994.tif 000004
【図３】
2014081994.tif 000005
【図４】
2014081994.tif 000006